(57)【要約】【課題】複数の番組を同じタイトルで連続して記録した場合の手動操作によるタイトル分割の作業性の向上を図る。【解決手段】タイトル分割モード時、マイコン１２は、リモコン２０に設けられた指定ボタンが最初に押されることでその位置を分割開始位置として内部メモリに保存し、次に指定ボタンが押されることでその位置を分割終了位置として内部メモリに保存すると同時に、内部メモリに保存されている開始位置から終了位置までの範囲のＣＭ部分を削除して、その削除位置でタイトル分割を行う。【選択図】図１
2008113342.tif 000002
【特許請求の範囲】
【請求項１】
複数の番組を同じタイトルで連続して記録した番組情報を、再生しながら番組毎にタイトル分割するタイトル分割モードを有する記録再生装置において、
前記タイトル分割モードを制御する制御手段と、
再生画面を見ながらタイトル分割の開始位置をユーザが指定する開始位置指定ボタン、分割の終了位置をユーザが指定する終了位置指定ボタン、及び分割実行ボタンを有する入力手段とを備え、
タイトル分割モード時、前記制御手段は、前記開始位置指定ボタンが押されることでその位置を分割開始位置として内部メモリに保存し、次に前記終了位置指定ボタンが押されることでその位置を分割終了位置として前記内部メモリに保存し、前記分割実行ボタンが押されることにより、前記内部メモリに保存している分割開始位置から直後の分割終了位置までの範囲の番組情報を削除して、その削除位置で順次タイトル分割を行うとともに、前記開始位置指定ボタンまたは前記終了位置指定ボタンが再度押されることによって、前記内部メモリに保存している分割開始位置情報または分割終了位置情報が連続する場合には、後で押された位置情報を有効とし、先に押された位置情報を削除する処理を実行することを特徴とする記録再生装置。
【請求項２】
複数の番組を同じタイトルで連続して記録した番組情報を、再生しながら番組毎にタイトル分割するタイトル分割モードを有する記録再生装置において、
前記タイトル分割モードを制御する制御手段と、
再生画面を見ながらタイトル分割位置をユーザが指定する指定ボタンを有する入力手段とを備え、
タイトル分割モード時、前記制御手段は、最初に前記指定ボタンが押されることでその位置を分割開始位置として内部メモリに保存し、次に前記指定ボタンが押されることでその位置を分割終了位置として前記内部メモリに保存すると同時に、前記内部メモリに保存されている分割開始位置から分割終了位置までの範囲の番組情報を削除して、その削除位置でタイトル分割を行うことを特徴とする記録再生装置。
【請求項３】
複数の番組を同じタイトルで連続して記録した番組情報を、再生しながら番組毎にタイトル分割するタイトル分割モードを有する記録再生装置において、
前記タイトル分割モードを制御する制御手段と、
再生画面を見ながらタイトル分割位置をユーザが指定する指定ボタン及び分割実行ボタンを有する入力手段とを備え、
タイトル分割モード時、ユーザが再生画面を見ながらタイトル分割時に削除したい番組情報の開始位置と終了位置とで前記指定ボタンを順次押すことにより、前記制御手段は、前記指定ボタンが押された位置をその押された順番と対応付けて内部メモリに保存し、前記分割実行ボタンが押されることにより、前記内部メモリに保存されている奇数番目の位置から直後の偶数番目の位置までの範囲の番組情報を全て削除して、その削除位置で順次タイトル分割を行うことを特徴とする記録再生装置。
【請求項４】
複数の番組を同じタイトルで連続して記録した番組情報を、再生しながら番組毎にタイトル分割するタイトル分割モードを有する記録再生装置において、
前記タイトル分割モードを制御する制御手段と、
再生画面を見ながらタイトル分割の開始位置をユーザが指定する開始位置指定ボタン、及び分割の終了位置をユーザが指定する終了位置指定ボタンを有する入力手段とを備え、
タイトル分割モード時、前記制御手段は、前記開始位置指定ボタンが押されることでその位置を分割開始位置として内部メモリに保存し、次に前記終了位置指定ボタンが押されることでその位置を分割終了位置として前記内部メモリに保存すると同時に、前記内部メモリに保存されている分割開始位置から分割終了位置までの範囲の番組情報を削除して、その削除位置でタイトル分割を行うことを特徴とする記録再生装置。
【請求項５】
複数の番組を同じタイトルで連続して記録した番組情報を、再生しながら番組毎にタイトル分割するタイトル分割モードを有する記録再生装置において、
前記タイトル分割モードを制御する制御手段と、
再生画面を見ながらタイトル分割の開始位置をユーザが指定する開始位置指定ボタン、分割の終了位置をユーザが指定する終了位置指定ボタン、及び分割実行ボタンを有する入力手段とを備え、
タイトル分割モード時、前記制御手段は、前記開始位置指定ボタンが押されることでその位置を分割開始位置として内部メモリに保存し、次に前記終了位置指定ボタンが押されることでその位置を分割終了位置として前記内部メモリに保存するといった処理を繰り返し、その後、前記分割実行ボタンが押されることにより、前記内部メモリに保存されている分割開始位置から直後の分割終了位置までの範囲の番組情報を全て削除して、その削除位置で順次タイトル分割を行うことを特徴とする記録再生装置。
【請求項６】
前記制御手段は、前記分割実行ボタンが押されたとき、削除部分を示す確認画面を表示し、その後再度分割実行ボタンが押されたとき、タイトル分割を実行することを特徴とする請求項１、４または５に記載の記録再生装置。
【発明の詳細な説明】
【技術分野】
【０００１】
本発明は、複数の番組を同じタイトルで連続して記録した番組情報を、再生しながら番組毎にタイトル分割するタイトル分割モードを有する記録再生装置に関する。
【背景技術】
【０００２】
ハードディスクやＤＶＤ（Ｄｉｇｉｔａｌ Ｖｅｒｓａｔｉｌｅ Ｄｉｓｋ）等の光ディスクを記録媒体とする記録再生装置では、記録した情報番組の編集機能として、タイトル分割機能を備えており、このタイトル分割機能に関する技術が種々提案されている（例えば、特許文献１，２等参照）。
【０００３】
特許文献１の映像記録再生装置は、放送コンテンツのコピー制御情報の変化点にチャプターマークを付加して記録することにより、チャプターマークとコピー制御情報とを用い、ユーザの設定に従ってコンテンツの編集である例えばタイトル分割を行うようになっている。すなわち、チャプターの区切りごとに個々のタイトルに分割するようになっている。
【０００４】
また、特許文献２のハードディスクレコーダは、録画した記録データを、番組の切れ目となる時刻（番組を開始する予定の時間及び番組を終了する予定の時間のいずれか）で複数の番組の個別番組データに分割するようになっている。
【特許文献１】特開２００６−１７９１４９号公報
【特許文献２】特開２００６−１７４２７１号公報
【発明の開示】
【発明が解決しようとする課題】
【０００５】
ところで、複数の番組を同じタイトルで連続して記録した場合、この番組情報を上記特許文献１の技術を用いてタイトル分割する場合には、まず最初に、ユーザが手動操作でチャプターマークを付加する必要があり、極めて煩雑な作業となる。また、上記特許文献２の場合には、番組の切れ目となる時刻を用いてタイトル分割を行うことになるが、上記のように複数の番組を同じタイトルで連続して記録した場合には、番組の切れ目となる時刻を取得できないため、タイトル分割を行うことができない。
【０００６】
従って、上記のように複数の番組を同じタイトルで連続して記録した場合には、手動操作によってタイトル分割を行うことになる。
【０００７】
この場合、手動によるタイトル分割は、ユーザが再生画面を見ながら、タイトル分割したい箇所までくるとリモコン等のポーズボタンを押して再生画面を一旦停止し、その状態でリモコン等の所定のボタンを操作してタイトル分割を行い、その後再び再生を開始して再生画面を見ながら、次にタイトル分割したい箇所までくると、リモコン等のポーズボタンを押して再生画面を一旦停止し、その状態でリモコン等の所定のボタンを操作してタイトル分割を行い、その後再び再生を開始する、といった処理を記録した番組の最後まで行うことになる。
【０００８】
この場合、タイトル分割とともに、番組と番組の間に入っているＣＭ部分を削除する一つの方法としては、図１１（ａ）に示すように、番組１の最後のところで所定のボタンを押して、この部分でまずタイトル分割し、次に番組２の最後のところで所定のボタンを押してこの部分で次のタイトル分割をする、といった具合に、まずＣＭ部分を含んだ状態でタイトル分割を行い、その後、一つのタイトルの番組の先頭部分に含まれているＣＭ部分（図１１（ａ）では、番組２の先頭部分に含まれるＣＭ１）を削除する操作を行う、といった方法がある。また、別の方法としては、図１１（ｂ）に示すように、番組１の最後のところで所定のボタンを押して、この部分でまずタイトル分割し、次にＣＭ部分の最後のところで所定のボタンを押してこの部分で次のタイトル分割をし、次に番組２の最後のところで所定のボタンを押してこの部分で次のタイトル分割をする、といった具合に、番組とＣＭとをそれぞれタイトル分割し、その後、タイトル分割したＣＭ部分のみを別途削除する操作を行う、といった方法がある。
【０００９】
すなわち、上記２つの方法は、いずれもタイトル分割の処理と、分割後の番組の先頭部分（若しくは最後の部分）に残っているＣＭ部分を削除する処理とを区別して行う必要があるため、番組の先頭部分または最後の部分に付加されているＣＭ部分を削除してタイトル分割を行う場合の作業が煩雑になるといった問題があった。
【００１０】
本発明はかかる問題点を解決すべく創案されたもので、その目的は、複数の番組を同じタイトルで連続して記録した場合の手動操作によるタイトル分割の作業性の向上を図った記録再生装置を提供することにある。
【課題を解決するための手段】
【００１１】
上記課題を解決するため、本発明の記録再生装置は、複数の番組を同じタイトルで連続して記録した番組情報を、再生しながら番組毎にタイトル分割するタイトル分割モードを有する記録再生装置において、前記タイトル分割モードを制御する制御手段と、再生画面を見ながらタイトル分割位置をユーザが指定する指定ボタンを有する入力手段とを備え、タイトル分割モード時、前記制御手段は、最初に前記指定ボタンが押されることでその位置を分割開始位置として内部メモリに保存し、次に前記指定ボタンが押されることでその位置を分割終了位置として前記内部メモリに保存すると同時に、前記内部メモリに保存されている分割開始位置から分割終了位置までの範囲の番組情報を削除して、その削除位置でタイトル分割を行うことを特徴としている。
【００１２】
すなわち、最初に指定ボタンを押し、次に指定ボタンを押すと、その間の番組情報を削除してタイトル分割を行うことができるので、指定ボタンを２回押すだけの操作で、番組と番組との間のＣＭ部分を削除したタイトル分割が可能となる。これにより、従来のように、タイトル分割後に、番組の先頭部分または最後の部分に残っているＣＭ部分を別途削除する、といった手間を省くことが可能となる。
【００１３】
また、本発明の記録再生装置は、複数の番組を同じタイトルで連続して記録した番組情報を、再生しながら番組毎にタイトル分割するタイトル分割モードを有する記録再生装置において、前記タイトル分割モードを制御する制御手段と、再生画面を見ながらタイトル分割位置をユーザが指定する指定ボタン及び分割実行ボタンを有する入力手段とを備え、タイトル分割モード時、ユーザが再生画面を見ながらタイトル分割時に削除したい番組情報の開始位置と終了位置とで前記指定ボタンを順次押すことにより、前記制御手段は、前記指定ボタンが押された位置をその押された順番と対応付けて内部メモリに保存し、前記分割実行ボタンが押されることにより、前記内部メモリに保存されている奇数番目の位置から直後の偶数番目の位置までの範囲の番組情報を全て削除して、その削除位置で順次タイトル分割を行うことを特徴としている。
【００１４】
すなわち、ユーザが再生画面を見ながら、タイトル分割時に削除したいＣＭ部分の開始位置と終了位置とで指定ボタンを順次押すことにより、内部メモリには、指定ボタンが押された位置とその押された順番とが対応付けられて保存される。そして、最後にユーザが分割実行ボタンを押すことにより、制御手段は、内部メモリに保存されている奇数番目の位置から直後の偶数番目の位置までの範囲の番組情報（すなわち、ＣＭ部分）を削除して、その削除位置で順次タイトル分割を行うようになっている。具体的に説明すると、１番目の位置から２番目の位置までの範囲（ＣＭ部分）、３番目の位置から４番目の位置までの範囲（ＣＭ部分）、５番目の位置から６番目の位置までの範囲（ＣＭ部分）、・・・・、が削除される。その結果、最初の位置から１番目の位置までが１つ目のタイトル、２番目の位置から３番目の位置までが２つ目のタイトル、４番目の位置から５番目の位置までが３つ目のタイトル、・・・、といった具合に、ＣＭ部分を削除しつつタイトル分割されることになる。これにより、従来のように、タイトル分割後に、番組の先頭部分または最後の部分に残っているＣＭ部分を別途削除する、といった手間を省くことが可能となる。
【００１５】
また、本発明の記録再生装置は、複数の番組を同じタイトルで連続して記録した番組情報を、再生しながら番組毎にタイトル分割するタイトル分割モードを有する記録再生装置において、前記タイトル分割モードを制御する制御手段と、再生画面を見ながらタイトル分割の開始位置をユーザが指定する開始位置指定ボタン、及び分割の終了位置をユーザが指定する終了位置指定ボタンを有する入力手段とを備え、タイトル分割モード時、前記制御手段は、前記開始位置指定ボタンが押されることでその位置を分割開始位置として内部メモリに保存し、次に前記終了位置指定ボタンが押されることでその位置を分割終了位置として前記内部メモリに保存すると同時に、前記内部メモリに保存されている分割開始位置から分割終了位置までの範囲の番組情報を削除して、その削除位置でタイトル分割を行うことを特徴としている。
【００１６】
すなわち、開始位置指定ボタンを押し、次に終了位置指定ボタンを押すと、その間の番組情報を削除してタイトル分割を行うことができるので、指定ボタンを２回押すだけの操作で、番組と番組との間のＣＭ部分を削除したタイトル分割が可能となる。これにより、従来のように、タイトル分割後に、番組の先頭部分または最後の部分に残っているＣＭ部分を別途削除する、といった手間を省くことが可能となる。
【００１７】
また、本発明の記録再生装置は、複数の番組を同じタイトルで連続して記録した番組情報を、再生しながら番組毎にタイトル分割するタイトル分割モードを有する記録再生装置において、前記タイトル分割モードを制御する制御手段と、再生画面を見ながらタイトル分割の開始位置をユーザが指定する開始位置指定ボタン、分割の終了位置をユーザが指定する終了位置指定ボタン、及び分割実行ボタンを有する入力手段とを備え、タイトル分割モード時、前記制御手段は、前記開始位置指定ボタンが押されることでその位置を分割開始位置として内部メモリに保存し、次に前記終了位置指定ボタンが押されることでその位置を分割終了位置として前記内部メモリに保存するといった処理を繰り返し、その後、前記分割実行ボタンが押されることにより、前記内部メモリに保存されている分割開始位置から直後の分割終了位置までの範囲の番組情報を全て削除して、その削除位置で順次タイトル分割を行うことを特徴としている。
【００１８】
すなわち、ユーザが再生画面を見ながら、タイトル分割時に削除したいＣＭ部分の開始位置で開始位置指定ボタンを押し、その終了位置で終了位置指定ボタンを押す、といった操作を、番組最後のＣＭ部分がくるたびに行うことにより、内部メモリには、開始位置指定ボタンが押された開始位置と、その後に終了位置指定ボタンが押された終了位置とが対応付けられて順次保存される。
【００１９】
そして、最後にユーザが分割実行ボタンを押すことにより、制御手段は、内部メモリに対で保存されている開始位置から終了位置までの範囲の番組情報（すなわち、ＣＭ部分）を全て削除して、その削除位置で順次タイトル分割を行うようになっている。具体的に説明すると、１つ目の開始位置から終了位置までの範囲（ＣＭ部分）、２つ目の開始位置から終了位置までの範囲（ＣＭ部分）３つ目の開始位置から終了位置までの範囲（ＣＭ部分）、・・・・、が削除される。その結果、最初の位置から１つ目の開始位置までが１つ目のタイトル、１つ目の終了位置から２つ目の開始位置までが２つ目のタイトル、２つ目の終了位置から３つ目の開始位置までが３つ目のタイトル、・・・、といった具合に、ＣＭ部分を削除しつつタイトル分割されることになる。これにより、従来のように、タイトル分割後に、番組の先頭部分または最後の部分に残っているＣＭ部分を別途削除する、といった手間を省くことが可能となる。
【００２０】
また、本発明の記録再生装置は、上記構成において、前記制御手段は、前記内部メモリに保存している分割開始位置情報または分割終了位置情報が連続する場合には、後で押された位置情報を有効とし、先に押された位置情報を削除する処理を実行することを特徴としている。
【００２１】
すなわち、内部メモリに保存している分割開始位置情報または分割終了位置情報が連続する場合には、後で押された位置情報を有効とし、先に押された位置情報を削除する。これにより、ユーザがＣＭ部分の削除位置を一旦指定した後、その位置を変更したい場合には、その変更位置で再度指定ボタンを押すだけで、分割開始位置または分割終了位置が変更されることになる。
【００２２】
また、本発明の記録再生装置は、上記構成において、前記制御手段は、前記分割実行ボタンが押されたとき、削除部分を示す確認画面を表示し、その後再度分割実行ボタンが押されたとき、タイトル分割を実行するように構成してもよい。すなわち、ＣＭ部分を削除する前に、このような確認画面を表示することで、誤って番組部分の一部まで含めて削除してしまう、といった不具合の発生を防止することができる。
【発明の効果】
【００２３】
本発明の記録再生装置は上記のように構成したので、指定ボタンを２回押すだけの操作で、番組と番組との間のＣＭ部分を削除したタイトル分割が可能となる。これにより、従来のように、タイトル分割後に、番組の先頭部分または最後の部分に残っているＣＭ部分を別途削除する、といった手間を省くことができる。
【００２４】
また、本発明の記録再生装置によれば、ユーザがＣＭ部分の削除位置を一旦指定した後、その位置を変更したい場合には、その変更位置で再度指定ボタンを押すだけでよいので、ＣＭ部分の削除位置の修正を簡単に行うことができる。さらに、ＣＭ部分を削除する前に確認画面を表示することで、誤って番組部分の一部まで含めて削除してしまう、といった不具合の発生を防止することができる。
【発明を実施するための最良の形態】
【００２５】
以下、本発明の実施の形態について、図面を参照して説明する。
【００２６】
図１は、本発明の一実施形態である記録再生装置の機能ブロック図であり、ここではハードディスク内蔵型ＤＶＤレコーダを例示している。
【００２７】
本実施形態の記録再生装置１は、アンテナ１６により受信されたアナログ放送信号やデジタル放送信号等のテレビ放送から選択されたチャンネルの番組放送を受信するチューナ２と、受信した番組の映像データの信号を処理する信号処理回路３と、信号処理後の映像データをＤＶＤ（Ｄｉｇｉｔａｌ Ｖｅｒｓａｔｉｌｅ Ｄｉｓｋ）等の光ディスクに記録再生するＤＶＤ部５と、信号処理後の映像データをハードディスク（ＨＤ）に記録再生するＨＤＤ（Ｈａｒｄ Ｄｉｓｋ Ｄｒｉｖｅ）部６と、これらＤＶＤ部５及びＨＤＤ部６の記録再生を制御するストレージ制御部７と、文字情報信号を映像信号に重畳して、文字情報をモニタ装置３０の画面に表示するＯＳＤ（Ｏｎ−Ｓｃｒｅｅｎ Ｃｈａｒａｃｔｅｒ Ｄｉｓｐｌａｙ）回路８と、音声信号を増幅してスピーカ４０を駆動する音声出力回路９と、本装置のシステム全体を制御するマイコン１２と、各種データを記憶するメモリ（ＥＥＰＲＯＭやフラッシュメモリ等）１３と、現在時刻を計時する時計機能を有するクロック回路１４と、リモコン２０から送信された赤外線信号のリモコン信号を受信して、所定の電気信号に変換するリモコン受信部１５とで構成されている。
【００２８】
上記構成の記録再生装置１において、本実施形態では特に、複数の番組を同じタイトルで連続して記録した番組情報を、再生しながら番組毎にタイトル分割するタイトル分割モードを備えている。以下、本実施形態の記録再生装置１におけるタイトル分割モードの実施例について説明する。
【実施例１】
【００２９】
本実施例１では、リモコン２０に、再生画面を見ながらタイトル分割位置をユーザが指定する指定ボタン２０ａ（図示省略）が設けられている。この指定ボタン２０ａは、リモコン２０に別途設けてもよいが、リモコン２０に元々設けられている機能ボタンの一つを兼用してもよい。例えば、決定ボタンをタイトル分割モードでは指定ボタン２０ａとして使用するようにしてもよい。
【００３０】
以下、本実施例１のタイトル分割処理について、図２に示すフローチャート及び図３に示す分割イメージ図を参照して説明する。
【００３１】
ユーザは、リモコン２０を操作してモニタ装置３０の画面にメニュー画面を表示し、その中からタイトル分割モードを選択し、例えばＨＤＤ部６に記録されている、複数の番組を同じタイトルで連続して記録した番組情報を指定する。これにより、マイコン１２は、この指定された番組情報のタイトル分割処理を開始する。
【００３２】
すなわち、マイコン１２は、まずこの番組情報の再生を開始し（ステップＳ１）、リモコン２０の図示しないポーズボタンが押されたか否かを監視する（ステップＳ２）。そして、例えば図３（ａ）の「ａａａ」の位置でポーズボタンが押された場合には、再生を一時停止し（ステップＳ３）、次にリモコン２０の指定ボタン２０ａが押されたか否か（ステップＳ４）、及びポーズボタンが再度押されたか否か（ステップＳ５）を監視する。ここで、指定ボタン２０ａが押されることなく、ポーズボタンが押された場合（ステップＳ４でＮｏ、ステップＳ５でＹｅｓと判断された場合）には、ステップＳ１に戻ってその停止位置「ａａａ」から再び再生を開始する。
【００３３】
一方、指定ボタン２０ａが押された場合（ステップＳ４でＹｅｓと判断された場合）には、その操作が１回目の操作であるか否かを確認する（ステップＳ６）。その結果、１回目の操作である場合（ステップＳ６でＹｅｓと判断された場合）には、その位置「ａａａ」を分割開始位置としてマイコン１２の図示しない内部メモリに保存し（ステップＳ７）、ステップＳ１に戻ってその停止位置「ａａａ」から再び再生を開始する。そして、リモコン２０のポーズボタンが押されたか否かを監視する（ステップＳ２）。
【００３４】
その結果、例えば図３（ａ）の「ｂｂｂ」の位置でポーズボタンが押された場合には、再生を一時停止し（ステップＳ３）、次にリモコン２０の指定ボタン２０ａが押されたか否か（ステップＳ４）、及びポーズボタンが再度押されたか否か（ステップＳ５）を監視する。ここで、指定ボタン２０ａが押されることなく、ポーズボタンが押された場合（ステップＳ４でＮｏ、ステップＳ５でＹｅｓと判断された場合）には、ステップＳ１に戻ってその停止位置「ｂｂｂ」から再び再生を開始する。
【００３５】
一方、指定ボタン２０ａが押された場合（ステップＳ４でＹｅｓと判断された場合）には、その操作が１回目の操作であるか否かを確認する（ステップＳ６）。その結果、１回目の操作でない場合（ステップＳ６でＮｏと判断された場合）には、その操作が２回目の操作であるか否かを確認する（ステップＳ９）。その結果、２回目の操作である場合（ステップＳ８でＹｅｓと判断された場合）には、その位置「ｂｂｂ」を分割終了位置としてマイコン１２の図示しない内部メモリに保存する（ステップＳ９）。一方、２回目の操作でないと判断された場合（ステップＳ８でＮｏと判断された場合）には、例えばエラーメッセージを表示する等のエラー処理を行って（ステップＳ１３）、処理を終了する。
【００３６】
次に、マイコン１２は、内部メモリに保存されている分割開始位置「ａａａ」から分割終了位置「ｂｂｂ」までの範囲の番組情報（ＣＭ１）を削除して、その削除位置でタイトル分割を行う（ステップＳ１０）。すなわち、図３（ｂ）に示すように、番組１を一つのタイトル（タイトル１）とし、これに続く番組２以降を一つのタイトル（タイトル２）とするタイトル分割を行う。
【００３７】
この後、マイコン１２は、内部メモリに保存している分割開始位置と分割開始終了位置の情報を消去した後（ステップＳ１１）、番組情報の再生を最後まで終了したかを確認し（ステップＳ１２）、最後まで終了していなければステップＳ１に戻って、その停止位置「ｂｂｂ」から再び再生を開始する。
【００３８】
そして、上記の処理（ステップＳ１〜ステップＳ１２）を再度実施し、図３（ｂ）に示す「ｃｃｃ」の位置で１回目の指定ボタン２０ａが押され、その次の「ｄｄｄ」の位置で２回目の指定ボタン２０ａが押されると、マイコン１２は、図３（ｃ）に示すように、番組１を一つのタイトル（タイトル１）とし、これに続く番組２を一つのタイトル（タイトル２）とし、ＣＭ２を削除して、これに続く番組３以降を一つのタイトル（タイトル３）とするタイトル分割を行う。
【００３９】
このような処理を、連続して記録された番組情報の最後まで行うと（ステップＳ１２でＹｅｓと判断されると）、タイトル分割処理を終了する。
【００４０】
本実施例１のタイトル分割処理によれば、最初に指定ボタン２０ａを押し、次に指定ボタン２０ａを押すと、その間の番組情報（ＣＭ部分）を削除して、その削除位置でタイトル分割を行うことができるので、指定ボタン２０ａを２回押すだけの操作で、番組と番組との間のＣＭ部分を削除したタイトル分割が可能となる。これにより、従来のように、タイトル分割後に、番組の先頭部分または最後の部分に残っているＣＭ部分を別途削除する、といった手間を省くことが可能となる。
【実施例２】
【００４１】
上記実施例１では、指定ボタン２０ａを２回押すごとに、その間のＣＭ部分を削除してその都度タイトル分割を行っていたが、本実施例２では、このタイトル分割を全ての削除部分の指定を行った後にまとめて行う実施例である。そのため、本実施例２では、マイコン２０に図示しない分割実行ボタン２０ｂがさらに設けられている。この分割実行ボタン２０ｂも、リモコン２０が元々設けられている機能ボタンの一つと兼用してもよい。さらに、本実施例２では、マイコン１２は、指定ボタン２０ａが押された回数をカウントするカウント機能を備えているものとする。
【００４２】
以下、本実施例２のタイトル分割処理について、図４に示すフローチャート、及び上記実施例１でも使用した図３に示した分割イメージ図を参照して説明する。
【００４３】
ユーザは、リモコン２０を操作してモニタ装置３０の画面にメニュー画面を表示し、その中からタイトル分割モードを選択し、例えばＨＤＤ部６に記録されている、複数の番組を同じタイトルで連続して記録した番組情報を指定する。これにより、マイコン１２は、この指定された番組情報のタイトル分割処理を開始する。
【００４４】
すなわち、マイコン１２は、まずこの番組情報の再生を開始し（ステップＳ２１）、リモコン２０の図示しないポーズボタンが押されたか否かを監視する（ステップＳ２２）。そして、例えば図３（ａ）の「ａａａ」の位置でポーズボタンが押された場合には、再生を一時停止し（ステップＳ２３）、次にリモコン２０の指定ボタン２０ａが押されたか否か（ステップＳ２４）、及びポーズボタンが再度押されたか否か（ステップＳ２５）を監視する。ここで、指定ボタン２０ａが押されることなく、ポーズボタンが押された場合（ステップＳ２４でＮｏ、ステップＳ２５でＹｅｓと判断された場合）には、ステップＳ２１に戻ってその停止位置「ａａａ」から再び再生を開始する。
【００４５】
一方、指定ボタン２０ａが押された場合（ステップＳ４でＹｅｓと判断された場合）には、その操作が奇数回目（ここでは、１回目）の操作であるか否かを確認する（ステップＳ２６）。上記したように、マイコン１２は、タイトル分割処理を開始してから指定ボタン２０ａが押された回数をカウントするカウント機能を備えており、そのカウント値に基づいて、操作回数が奇数回目か偶数回目かを判断するようになっている。その結果、奇数回目（１回目）の操作である場合（ステップＳ２６でＹｅｓと判断された場合）には、その位置「ａａａ」をカウント値である１回目の分割開始位置としてマイコン１２の図示しない内部メモリに保存し（ステップＳ２７）、ステップＳ２１に戻ってその停止位置「ａａａ」から再び再生を開始する。そして、リモコン２０のポーズボタンが押されたか否かを監視する（ステップＳ２２）。
【００４６】
その結果、例えば図３（ａ）の「ｂｂｂ」の位置でポーズボタンが押された場合には、再生を一時停止し（ステップＳ２３）、次にリモコン２０の指定ボタン２０ａが押されたか否か（ステップＳ２４）、及びポーズボタンが再度押されたか否か（ステップＳ２５）を監視する。ここで、指定ボタン２０ａが押されることなく、ポーズボタンが押された場合（ステップＳ２４でＮｏ、ステップＳ２５でＹｅｓと判断された場合）には、ステップＳ２１に戻ってその停止位置「ｂｂｂ」から再び再生を開始する。
【００４７】
一方、指定ボタン２０ａが押された場合（ステップＳ２４でＹｅｓと判断された場合）には、その操作が奇数回目の操作であるか否かを確認する（ステップＳ２６）。その結果、奇数回目の操作でない場合（ステップＳ２６でＮｏと判断された場合）には、その操作は偶数回目の操作（この場合には、２回目）であるので、マイコン１２は、その位置「ｂｂｂ」を２回目の分割終了位置として図示しない内部メモリに保存する（ステップＳ２８）。
【００４８】
次に、マイコン１２は、番組情報の再生を最後まで終了したか否かを確認し（ステップＳ２９）、最後まで終了していなければステップＳ２１に戻って、その停止位置「ｂｂｂ」から再び再生を開始する。
【００４９】
そして、上記の処理（ステップＳ２１〜ステップＳ２９）を再度実施し、図３（ａ）に示す「ｃｃｃ」の位置で３回目の指定ボタン２０ａが押されると、その位置「ｃｃｃ」をカウント値である３回目の分割開始位置としてマイコン１２の図示しない内部メモリに保存し（ステップＳ２７）、その次の「ｄｄｄ」の位置で４回目の指定ボタン２０ａが押されると、その位置「ｂｂｂ」を４回目の分割終了位置としてマイコン１２の図示しない内部メモリに保存する（ステップＳ２８）。
【００５０】
このようにして、マイコン１２の内部メモリには、指定ボタン２０ａが押された数だけ、分割開始位置と分割終了位置とが順次保存されることになる。すなわち、指定ボタン２０ａが例えば６回押されたとすると、図３（ａ）に示すように、１回目の分割開始位置「ａａａ」、２回目の分割終了位置「ｂｂｂ」、３回目の分割開始位置「ｃｃｃ」、４回目の分割終了位置「ｄｄｄ」、５回目の分割開始位置「ｅｅｅ」、６回目の分割終了位置「ｆｆｆ」が保存されることになる。
【００５１】
マイコン１２は、このような処理を、連続して記録された番組情報の最後まで行うと（ステップＳ２９でＹｅｓと判断されると）、次に、リモコン２０の分割実行ボタン２０ｂが押されたか否か（ステップＳ３０）、及びリモコン２０の図示しない停止ボタンが押されたか否か（ステップＳ３１）を監視する。
【００５２】
その結果、分割実行ボタン２０ｂが押された場合（ステップＳ３０でＹｅｓと判断された場合）には、マイコン１２は、タイトル分割処理を一括して行うことになる（ステップＳ３２）。すなわち、内部メモリに保存されている奇数番目の位置から直後の偶数番目の位置までの範囲の番組情報（すなわち、ＣＭ部分）を全て削除して、その削除位置で順次タイトル分割を行う。具体的に説明すると、１回目の分割開始位置「ａａａ」から２回目の分割終了位置「ｂｂｂ」までの範囲のＣＭ１、３回目の分割開始位置「ｃｃｃ」から４回目の分割終了位置「ｄｄｄ」までの範囲のＣＭ２、５回目目の分割開始位置「ｅｅｅ」から６回目の分割終了位置「ｆｆｆ」までの範囲のＣＭ３が削除される。その結果、図３（ｃ）に示すように、番組１が１つ目のタイトル（タイトル１）、番組２が２つ目のタイトル（タイトル２）、これに続く番組３以降が３つ目のタイトル（タイトル３）に分割されることになる。
【００５３】
本実施例２のタイトル分割処理によれば、指定ボタン２０ａを２回押すだけの操作を繰り返すことで、番組と番組との間のＣＭ部分を順次指定し、最後に分割実行ボタン２０ｂを押すだけで、ＣＭ部分を順次削除したタイトル分割を行うことが可能となる。これにより、従来のように、タイトル分割後に、番組の先頭部分または最後の部分に残っているＣＭ部分を別途削除する、といった手間を省くことが可能となる。
【実施例３】
【００５４】
本実施例３では、リモコン２０に、再生画面を見ながらタイトル分割位置をユーザが指定する開始位置指定ボタン２０ｃと終了位置指定ボタン２０ｄ（図示省略）が設けられている。これら指定ボタン２０ｃ，２０ｄは、リモコン２０に別途設けてもよいが、リモコン２０に元々設けられている機能ボタン、例えば左右キーボタンを兼用してもよい。例えば、左キーボタンを開始位置指定ボタン２０ｃとして使用し、右キーボタンを終了位置指定ボタン２０ｄとして使用することが可能である。
【００５５】
以下、本実施例３のタイトル分割処理について、図５に示すフローチャート及び上記実施例１で使用した図３に示す分割イメージ図を参照して説明する。
【００５６】
ユーザは、リモコン２０を操作してモニタ装置３０の画面にメニュー画面を表示し、その中からタイトル分割モードを選択し、例えばＨＤＤ部６に記録されている、複数の番組を同じタイトルで連続して記録した番組情報を指定する。これにより、マイコン１２は、この指定された番組情報のタイトル分割処理を開始する。
【００５７】
すなわち、マイコン１２は、まずこの番組情報の再生を開始し（ステップＳ４１）、リモコン２０の図示しないポーズボタンが押されたか否かを監視する（ステップＳ４２）。そして、例えば図３（ａ）の「ａａａ」の位置でポーズボタンが押された場合には、再生を一時停止し（ステップＳ４３）、次にリモコン２０の指定ボタンが押されたか否か（ステップＳ４４）、及びポーズボタンが再度押されたか否か（ステップＳ４５）を監視する。ここで、指定ボタンが押されることなく、ポーズボタンが押された場合（ステップＳ４４でＮｏ、ステップＳ４５でＹｅｓと判断された場合）には、ステップＳ４１に戻ってその停止位置「ａａａ」から再び再生を開始する。
【００５８】
一方、指定ボタンが押された場合（ステップＳ４４でＹｅｓと判断された場合）には、その指定ボタンが開始位置指定ボタン２０ｃであるか否かを確認する（ステップＳ４６）。その結果、開始位置指定ボタン２０ｃである場合（ステップＳ４６でＹｅｓと判断された場合）には、その位置「ａａａ」を分割開始位置としてマイコン１２の図示しない内部メモリに保存し（ステップＳ４７）、ステップＳ４１に戻ってその停止位置「ａａａ」から再び再生を開始する。そして、リモコン２０のポーズボタンが押されたか否かを監視する（ステップＳ４２）。
【００５９】
その結果、例えば図３（ａ）の「ｂｂｂ」の位置でポーズボタンが押された場合には、再生を一時停止し（ステップＳ４３）、次にリモコン２０の指定ボタンが押されたか否か（ステップＳ４４）、及びポーズボタンが再度押されたか否か（ステップＳ４５）を監視する。ここで、指定ボタンが押されることなく、ポーズボタンが押された場合（ステップＳ４４でＮｏ、ステップＳ４５でＹｅｓと判断された場合）には、ステップＳ４１に戻ってその停止位置「ｂｂｂ」から再び再生を開始する。
【００６０】
一方、指定ボタンが押された場合（ステップＳ４４でＹｅｓと判断された場合）には、その指定ボタンが開始位置指定ボタン２０ｃであるか否かを確認する（ステップＳ４６）。その結果、開始位置指定ボタン２０ｃでない場合（ステップＳ４６でＮｏと判断された場合）には、押された指定ボタンは終了位置指定ボタン２０ｄであるので、その位置「ｂｂｂ」を分割終了位置としてマイコン１２の図示しない内部メモリに保存する（ステップＳ４８）。
【００６１】
次に、マイコン１２は、内部メモリに保存されている分割開始位置「ａａａ」から分割終了位置「ｂｂｂ」までの範囲の番組情報（ＣＭ１）を削除して、その削除位置でタイトル分割を行う（ステップＳ４９）。すなわち、図３（ｂ）に示すように、番組１を一つのタイトル（タイトル１）とし、これに続く番組２以降を一つのタイトル（タイトル２）とするタイトル分割を行う。
【００６２】
この後、マイコン１２は、内部メモリに保存している分割開始位置と分割終了位置の情報を消去した後（ステップＳ５０）、番組情報の再生を最後まで終了したかを確認し（ステップＳ５１）、最後まで終了していなければステップＳ４１に戻って、その停止位置「ｂｂｂ」から再び再生を開始する。
【００６３】
そして、上記の処理（ステップＳ４１〜ステップＳ５１）を再度実施し、図３（ａ）に示す「ｃｃｃ」の位置で開始位置指定ボタン２０ｃが押され、その次の「ｄｄｄ」の位置で終了位置指定ボタン２０ｄが押されると、マイコン１２は、図３（ｃ）に示すように、番組１を一つのタイトル（タイトル１）とし、これに続く番組２を一つのタイトル（タイトル２）とし、ＣＭ２を削除して、これに続く番組３以降を一つのタイトル（タイトル３）とするタイトル分割を行う（ステップＳ４９）。
【００６４】
このような処理を、連続して記録された番組情報の最後まで行うと（ステップＳ５１でＹｅｓと判断されると）、タイトル分割処理を終了する。
【００６５】
本実施例３のタイトル分割処理によれば、開始位置指定ボタン２０ｃを押し、次に終了位置指定ボタン２０ｄを押すと、その間の番組情報（ＣＭ部分）を削除して、その削除位置でタイトル分割を行うことができるので、指定ボタンを２回押すだけの操作で、番組と番組との間のＣＭ部分を削除したタイトル分割が可能となる。これにより、従来のように、タイトル分割後に、番組の先頭部分または最後の部分に残っているＣＭ部分を別途削除する、といった手間を省くことが可能となる。
【実施例４】
【００６６】
上記実施例３では、開始位置指定ボタン２０ｃと終了位置指定ボタン２０ｄとを押すごとに、その間のＣＭ部分を削除してその都度タイトル分割を行っていたが、本実施例４では、このタイトル分割を全ての削除部分の指定を行った後にまとめて行う実施例である。そのため、本実施例４では、上記実施例２と同様、マイコン２０に図示しない分割実行ボタン２０ｂがさらに設けられている。この分割実行ボタン２０ｂも、リモコン２０が元々設けられている機能ボタンの一つと兼用してもよい。
【００６７】
以下、本実施例４のタイトル分割処理について、図６に示すフローチャート、及び上記実施例１でも使用した図３に示した分割イメージ図を参照して説明する。
【００６８】
ユーザは、リモコン２０を操作してモニタ装置３０の画面にメニュー画面を表示し、その中からタイトル分割モードを選択し、例えばＨＤＤ部６に記録されている、複数の番組を同じタイトルで連続して記録した番組情報を指定する。これにより、マイコン１２は、この指定された番組情報のタイトル分割処理を開始する。
【００６９】
すなわち、マイコン１２は、まずこの番組情報の再生を開始し（ステップＳ６１）、リモコン２０の図示しないポーズボタンが押されたか否かを監視する（ステップＳ６２）。そして、例えば図３（ａ）の「ａａａ」の位置でポーズボタンが押された場合には、再生を一時停止し（ステップＳ６３）、次にリモコン２０の指定ボタンが押されたか否か（ステップＳ６４）、及びポーズボタンが再度押されたか否か（ステップＳ６５）を監視する。ここで、指定ボタンが押されることなく、ポーズボタンが押された場合（ステップＳ６４でＮｏ、ステップＳ６５でＹｅｓと判断された場合）には、ステップＳ６１に戻ってその停止位置「ａａａ」から再び再生を開始する。
【００７０】
一方、指定ボタンが押された場合（ステップＳ６４でＹｅｓと判断された場合）には、その指定ボタンが開始位置指定ボタン２０ｃであるか否かを確認する（ステップＳ６６）。その結果、開始位置指定ボタン２０ｃである場合（ステップＳ６６でＹｅｓと判断された場合）には、その位置「ａａａ」を分割開始位置としてマイコン１２の図示しない内部メモリに保存し（ステップＳ６７）、ステップＳ６１に戻ってその停止位置「ａａａ」から再び再生を開始する。そして、リモコン２０のポーズボタンが押されたか否かを監視する（ステップＳ６２）。
【００７１】
その結果、例えば図３（ａ）の「ｂｂｂ」の位置でポーズボタンが押された場合には、再生を一時停止し（ステップＳ６３）、次にリモコン２０の指定ボタンが押されたか否か（ステップＳ６４）、及びポーズボタンが再度押されたか否か（ステップＳ６５）を監視する。ここで、指定ボタンが押されることなく、ポーズボタンが押された場合（ステップＳ６４でＮｏ、ステップＳ６５でＹｅｓと判断された場合）には、ステップＳ６１に戻ってその停止位置「ｂｂｂ」から再び再生を開始する。
【００７２】
一方、指定ボタンが押された場合（ステップＳ６４でＹｅｓと判断された場合）には、その指定ボタンが開始位置指定ボタン２０ｃであるか否かを確認する（ステップＳ６６）。その結果、開始位置指定ボタン２０ｃでない場合（ステップＳ６６でＮｏと判断された場合）には、押された指定ボタンは終了位置指定ボタン２０ｄであるので、その位置「ｂｂｂ」を分割終了位置としてマイコン１２の図示しない内部メモリに保存する（ステップＳ６８）。
【００７３】
次に、マイコン１２は、番組情報の再生を最後まで終了したか否かを確認し（ステップＳ６９）、最後まで終了していなければステップＳ６１に戻って、その停止位置「ｂｂｂ」から再び再生を開始する。
【００７４】
そして、上記の処理（ステップＳ６１〜ステップＳ６９）を再度実施し、図３（ａ）に示す「ｃｃｃ」の位置で開始位置指定ボタン２０ｃが押されると（ステップＳ６６でＹｅｓと判断されると）、その位置「ｃｃｃ」を分割開始位置としてマイコン１２の図示しない内部メモリに保存し（ステップＳ６７）、その次の「ｄｄｄ」の位置で終了位置指定ボタン２０ｄが押されると（ステップＳ６６でＮｏと判断されると）、その位置「ｂｂｂ」を分割終了位置としてマイコン１２の図示しない内部メモリに保存する（ステップＳ６８）。
【００７５】
このようにして、マイコン１２の内部メモリには、開始位置指定ボタン２０ｃと終了位置指定ボタン２０ｄが押された数だけ、分割開始位置と分割終了位置とが順次保存されることになる。すなわち、開始位置指定ボタン２０ｃが３回、終了位置指定ボタン２０ｄが３回押されたとすると、図３（ａ）に示すように、分割開始位置「ａａａ」、分割終了位置「ｂｂｂ」、分割開始位置「ｃｃｃ」、分割終了位置「ｄｄｄ」、分割開始位置「ｅｅｅ」、分割終了位置「ｆｆｆ」が保存されることになる。
【００７６】
マイコン１２は、このような処理を、連続して記録された番組情報の最後まで行うと（ステップＳ６９でＹｅｓと判断されると）、次に、リモコン２０の分割実行ボタン２０ｂが押されたか否か（ステップＳ７０）、及びリモコン２０の図示しない停止ボタンが押されたか否か（ステップＳ７１）を監視する。
【００７７】
その結果、分割実行ボタン２０ｂが押された場合（ステップＳ７０でＹｅｓと判断された場合）には、マイコン１２は、タイトル分割処理を一括して行うことになる（ステップＳ７２）。すなわち、内部メモリに保存されている一つの分割開始位置からその直後の分割終了位置までの範囲の番組情報（すなわち、ＣＭ部分）を全て削除して、その削除位置で順次タイトル分割を行う。具体的に説明すると、分割開始位置「ａａａ」から分割終了位置「ｂｂｂ」までの範囲のＣＭ１、分割開始位置「ｃｃｃ」から分割終了位置「ｄｄｄ」までの範囲のＣＭ２、分割開始位置「ｅｅｅ」から分割終了位置「ｆｆｆ」までの範囲のＣＭ３が削除される。その結果、図３（ｃ）に示すように、番組１が１つ目のタイトル（タイトル１）、番組２が２つ目のタイトル（タイトル２）、これに続く番組３以降が３つ目のタイトル（タイトル３）に分割されることになる。
【００７８】
本実施例４のタイトル分割処理によれば、分割開始指定ボタン２０ｃと分割終了ボタン２０ｄとを押すだけの操作を繰り返すことで、番組と番組との間のＣＭ部分を順次指定し、最後に分割実行ボタン２０ｂを押すことで、ＣＭ部分を順次削除したタイトル分割を行うことが可能となる。これにより、従来のように、タイトル分割後に、番組の先頭部分または最後の部分に残っているＣＭ部分を別途削除する、といった手間を省くことが可能となる。
【実施例５】
【００７９】
本実施例５は、上記実施例４において、ユーザが開始位置指定ボタン２０ｃまたは終了位置指定ボタン２０ｄを押して一旦指定した、タイトル分割の開始位置または終了位置を変更する場合の実施例である。以下、図７に示すフローチャート、図８に示す内部メモリの保存状態、及び図９に示す分割イメージ図を参照して本実施例５を説明する。
【００８０】
マイコン１２は、図６に示すステップＳ６７において、分割開始位置を内部メモリに保存した場合、及びステップＳ６８において、分割終了位置を内部メモリに保存した場合に、図７に示す処理を実行する。
【００８１】
すなわち、内部メモリに保存している分割開始位置及び分割終了位置の並び（アドレスの並び）を確認する（ステップＳ８１）。具体的には、分割開始位置と分割終了位置とがアドレス順に交互に並んでいるか否かを確認する（ステップＳ８２）。
【００８２】
例えば、内部メモリの保存状態が図８（ａ）に示すように、分割開始位置「ａａａ」、分割終了位置「ｂｂｂ」、分割開始位置「ｃｃｃ」、分割終了位置「ｄｄｄ」となっている場合には、分割開始位置と分割終了位置とがアドレス順に交互に並んでいるので、この場合には何もせずに処理を終了する。
【００８３】
一方、図８（ａ）に示す内部メモリの保存状態において、図９に示すように、ユーザが例えば「ｄ′ｄ′ｄ′」の位置で終了位置指定ボタン２０ｄを再度押した場合には、内部メモリには図８（ｂ）に示すように、分割終了位置「ｄ′ｄ′ｄ′」と分割終了位置「ｄｄｄ」とが連続した並びで保存されることになる。従って、マイコン１２は、分割終了位置「ｄ′ｄ′ｄ′」と分割終了位置「ｄｄｄ」とが連続していると判断し（ステップＳ８２でＹｅｓと判断）、新たに指定された分割終了位置「ｄ′ｄ′ｄ′」を有効としてそのまま保存し、先に保存されていた分割終了位置「ｄｄｄ」を消去する（ステップＳ８３）。
【００８４】
すなわち、ユーザは、指定を変更したい場合、その変更位置で再度同じ指定ボタンを押すだけで、最初の指定位置を解除して、新たな指定位置に変更することができる。
【実施例６】
【００８５】
本実施例６は、図４に示すステップＳ３０、及び図６に示すステップＳ７０で分割実行ボタン２０ｂが押されたとき、すぐにタイトル分割を実行するのではなく、削除部分を示す確認画面をモニタ装置３０に表示して、ユーザに確認するようにしたものである。確認画面としては、例えば図１０に示すように、分割イメージ図のところに分割位置を示すマーク（矢印等）を付与して削除範囲を表示する構成とすることができる。ただし、表示方法についてはこれに限定されるものではない。そして、この確認画面を見たユーザが、その分割位置で良いと判断して、再度、分割実行ボタンを押すと、図４に示すステップＳ３３、及び図６に示すステップＳ７２のタイトル分割処理を実施するように構成する。このように、ＣＭ部分を削除する前に確認画面を表示することで、誤って番組部分の一部まで含めて削除してしまう、といった不具合の発生を防止することができる。
【図面の簡単な説明】
【００８６】
【図１】本発明の一実施形態である記録再生装置の機能ブロック図である。
【図２】実施例１のタイトル分割処理を説明するためのフローチャートである。
【図３】分割処理の様子を示す説明図である。
【図４】実施例２のタイトル分割処理を説明するためのフローチャートである。
【図５】実施例３のタイトル分割処理を説明するためのフローチャートである。
【図６】実施例４のタイトル分割処理を説明するためのフローチャートである。
【図７】実施例５のタイトル分割処理を説明するためのフローチャートである。
【図８】内部メモリの保存状態を示す説明図である。
【図９】分割処理の様子を示す説明図である。
【図１０】確認画面の一例を示す説明図である。
【図１１】タイトル分割とともに、番組と番組の間に入っているＣＭ部分を削除する従来の方法を示す説明図である。
【符号の説明】
【００８７】
１  記録装置
２  チューナ
３  信号処理回路
５  ＤＶＤ部
６  ＨＤＤ部
７  ストレージ制御部
３  ＯＳＤ回路
９  音声出力回路
１２  マイコン
１３  メモリ
１４  クロック回路
１５  リモコン受信部
２０  リモコン
３０  モニタ装置
４０  スピーカ
【図１】
2008113342.tif 000003
【図２】
2008113342.tif 000004
【図３】
2008113342.tif 000005
【図４】
2008113342.tif 000006
【図５】
2008113342.tif 000007
【図６】
2008113342.tif 000008
【図７】
2008113342.tif 000009
【図８】
2008113342.tif 000010
【図９】
2008113342.tif 000011
【図１０】
2008113342.tif 000012
【図１１】
2008113342.tif 000013